(57)【特許請求の範囲】
【請求項１】
ストライク本体１１内に装備された支持バネ１５と、この支持バネ１５に宙吊り状態に吊着され、かつ、鎌片１の先端部６に設けられた磁性体又は鎌片用可動捕捉部材１７に設けられた磁性体により磁力を介して吸着する該鎌片用可動捕捉部材１７と、閉戸時の鎌片完全掛合の状態に於いて、引戸２を開く方向へ引いた時、前記鎌片１の先端部６を捕捉した該可動捕捉部材１７を係止することができるようにストライクの受板１２の裏面に固定された係合受板３０を備える引戸錠の鎌片用掛合機構。
【請求項２】
請求項１に於いて、係合受板３０は磁性体であり、一方、可動捕捉部材１７は、前記係合受板３０の極性に対応して反発し合う磁性体２３を有することを特徴とする引戸錠の鎌片用掛合機構。
【請求項３】
請求項１に於いて、可動捕捉部材１７の前壁２２には、係合受板３０の被係合部３１と係合する爪状係合部２７が形成されていることを特徴とする引戸錠の鎌片用掛合機構。
【請求項４】
請求項１に於いて、断面垂直状態の前壁部分２２とこの前壁部分に対して斜め方向の傾斜状後壁２４とを有するケース状の可動捕捉部材１７の前記傾斜状後壁２４に、鎌片１の先端部６を捕捉する磁性体２５が設けられている引戸錠の鎌片用掛合機構。
【発明の詳細な説明】
【０００１】
【発明の属する技術分野】
本発明は、引戸錠の鎌片用掛合機構に関する。
【０００２】
【従来の技術】
引戸１を閉じた場合に、通称、「ガタ」が生じる場合がある。このガタの要因は戸枠や引戸の傾き等によって発生する。このようなガタを少しでも解消する手段の一つとして、例えばストライクの対向側壁に垂直案内係合部を形成し、この垂直案内係合部にカマキャッチャーを上下動自在に嵌め込み、かつ、バネ部材で該カマキャッチャーを常時鎌片の係合方向へ付勢させる構成が考えられる。
【０００３】
しかしながら、上記構成に於いて、引戸を閉め、かつ、カマキャッチャーが鎌片の先端部を受けたとしても、引戸を開く方向へ引張った場合には、カマキャッチャーはバネ部材のバネ力により自由に移動（例えば上昇）するので、引戸の開き方向への「ガタ」を小さくすることが困難である。このような技術的背景を踏まえ、現在、閉戸時の鎌片完全掛合の状態に於いて、引戸の開き方向への「ガタ」を極力小さくすることが要望されている。
【０００４】
【発明が解決しようとする課題】
本発明は、従来の要望点に鑑み、第１の目的は、閉戸時の鎌片完全掛合の状態に於いて、引戸の開き方向への「ガタ」を極力小さくすることである。第２の目的は、合理的に各部材を組合わせ、かつ、部品点数を少なくして第１項の目的を達成することである。第３の目的は、鎌片の解錠状態に於いて、可動捕捉部材の爪状係合部が係合受板の被係合部に係合し、これが原因で鎌片の施錠時に鎌片が完全に出切れないというような不都合（弊害）が生じないことである。
【０００５】
【課題を解決するための手段】
本発明の引戸錠の鎌片用掛合機構は、ストライク本体１１内に装備された支持バネ１５と、この支持バネ１５に宙吊り状態に吊着され、かつ、鎌片１の先端部６に設けられた磁性体又は鎌片用可動捕捉部材１７に設けられた磁性体により磁力を介して吸着する該鎌片用可動捕捉部材１７と、閉戸時の鎌片完全掛合の状態に於いて、引戸２を開く方向へ引いた時、前記鎌片１の先端部６を捕捉した該可動捕捉部材１７を係止することができるようにストライクの受板１２の裏面に固定された係合受板３０を備えることを特徴とする。
【０００６】
上記構成に於いて、係合受板３０は磁性体であり、一方、可動捕捉部材１７は、前記係合受板３０の極性に対応して反発し合う磁性体２３を有することを特徴とする。また、可動捕捉部材１７の前壁２２には、係合受板３０の被係合部３１と係合する爪状係合部２７が形成されていることを特徴とする。さらに、断面垂直状態の前壁部分２２とこの前壁部分に対して斜め方向の傾斜状後壁２４とを有するケース状の可動捕捉部材１７の前記傾斜状後壁２４に、鎌片１の先端部６を捕捉する磁性体２５が設けられていることを特徴とする。
【０００７】
【発明の実施の形態】
図１乃至図６により本発明の実施形態に基づく一実施例を説明する。１は引戸錠の鎌片である。引戸錠の内部的な施錠機構は、本発明の特定要件ではないので、図示及び説明は省略する。引戸錠は普通一般に引戸２の開放側端部の縦框に取付けられている。磁性体と吸着するステンレス製の鎌片１は、フロント３を有する錠ケース４に横設軸架された固定軸５に軸支されている。そして、鎌片１の各部位は、普通一般に鉤状先端部６と、これに連設する首部７と、幅広の後端部８に区分けすることができる。本実施例では、前記鉤状先端部６に傾斜状の吸着面９が形成されている。
【０００８】
一方、Ｙは戸枠１０に取り付けられたストライクで、このストライクＹは、ケース状のストライク本体１１と、このストライク本体１１の開口部に取付けられた受板１２とから成る。受板１２は、閉戸時にフロント３と対向すると共に、鎌片１の先端部６が入り込む受孔１３を有する。本発明の鎌片用掛合機構Ｘは、鎌片１の受部材であるストライクＹに内装されている。以下、鎌片用掛合機構Ｘを構成する具体的な構成部材について説明する。
【０００９】
まず１５は可動捕捉部材用支持バネで、この支持バネ１５の中央部はストライク本体１１の側壁に横設軸架したバネ装着軸１６に取付けられている。支持バネ１５は、本実施例ではねじりばねが採用され、その一端部１５ａはストライク本体１１の奥側の垂直壁１１ａに当接乃至圧接し、一方、他端部１５ｂは可動捕捉部材１７に固定的に設けた水平支持軸１８に巻装状態に取付けられている。
【００１０】
１７は支持バネ１５の他端部１５ｂに吊着された鎌片用の可動捕捉部材である。この可動捕捉部材１７は前記水平支持軸１８を介して支持バネ１５に宙吊り状態に支持されているので、バネ装着用軸１６を中心にその同心円上に移行可能である。「可動捕捉部材１７の用語」は、閉戸時に掛合状態にある鎌片１が、戸の動きに従って多少移動しても、鎌片１を捕捉した状態で係合受板に係合するので、便宜上使用している。したがって、可動捕捉部材１７を「カマキャッチャー」と称しても意味合いは同一である。
【００１１】
本実施例の可動捕捉部材１７は、上端開口のケース本体２１と、このケース本体２１の前壁（係合受側）２２の少なくとも上部側に固定された第１磁性体（永久磁石）２３と、一方、ケース本体２１の傾斜状後壁（ストライク本体の垂直壁１１ａ側）２４に固定された第２磁性体２５と、ケース本体２１の三角形状の対向側壁（左右の側壁に相当）２６，２６の上端部寄りの部位に横設軸架された水平支持軸１８と、前記前壁２２の下部（下部寄りの適宜部位も含む）に突設された爪状係合部２７とから成る。前記爪状係合部２７は、受板１２の裏面に固定された縦長状係合受板３０の複数個の被係合部３１に対して係合することができるように水平方向に突出している。
【００１２】
次に係合受板３０について説明する。係合受板３０は、ストライクＹの受孔１３から入り込む鎌片１の先端部６及び可動捕捉部材１７の位置を考慮して受板１２の裏面に適宜固設されている。複数個の被係合部３１は、本実施例では矩形状の水平長孔で、上下方向に所定間隔を有して並列している。被係合部３１は洗濯板状の係合溝であっても良い。この水平長孔３１を形成する上縁部が係止機能を発揮する。
【００１３】
しかして、この係合受板３０は、本実施例では、可動捕捉部材１７の第１磁性体２３の極性に対応して反発し合う磁性体である。例えば可動捕捉部材１７の第１磁性体２３が「Ｎ極」であれば「Ｎ極」と言う具合（同極）である。
【００１４】
次に作用について説明する。図２は引戸錠が解錠状態の場合を示している。この場合鎌片１は錠ケース４内へと後退している。可動捕捉部材１７は、第１磁性体２３と係合受板３０とが互いに同極同志で反発していることから、その爪状係合部２７は係合受板３０の係合孔３１から離れている。
【００１５】
図１は引戸２を閉め、かつ、鎌片１が固定軸５を支点に回転して受孔１３からストライクＹに入り込み、掛合状態になった時の説明図である。この時鎌片１の先端部６、可動捕捉部材１７の第２磁性体２５に捕捉される。つまり、鎌片１の吸着面９が可動捕捉部材１７の第２磁性体２５に吸着する。この時鎌片の位置如何にもよるが、ここでは鎌片１の先端部６を捕捉するために可動捕捉部材１７が若干移動（傾斜）したものとする。したがって、このような場合、図２と同様に未だ爪状係合部２７は係合受板３０の係合孔３１から離れている。
【００１６】
図６は引戸２を矢印Ａ方向へ開けようとした場合（若干引戸が移動した場合）に於いて、鎌片１の移動により可動捕捉部材１７が係合受板３０方向へと移行し、その結果、爪状係合部２７が係合受板３０の被係合部３１に係合した状態を示す。この図６から明らかなように、引戸２を矢印Ａ方向へ開けようとしても、可動捕捉部材１７は鎌片１の先端部６を捕らえた状態で係合受板３０に係合するので、引戸の開き（ガタ）が規制される。
【００１７】
【実施例】
実施例において、可動捕捉部材１７はケース本体２１に形成され、該ケース体の前壁２２には、係合受板３０の極性に対応して反発し合う磁性体２３が固定されているが、この場合前壁２２を設けないで、磁性体２３そのものを前壁にしても良い。
この点はケース本体２１の後壁に固定された第２磁性体の場合も同様である。
【００１８】
ところで、望ましくは、係合受板３０は磁性体であり、一方、可動捕捉部材１７のケース本体２１は、前記係合受板３０の極性に対応して反発し合う磁性体２３を有する。その理由は、仮に鎌片１が解錠状態に於いて、何らかの拍子に可動捕捉部材１７の爪状係合部が非磁性体の係合受板の係合孔或いは係合溝に係合すると、鎌片１の施錠の際にそれが支障となり、鎌片が錠ケース４から完全に出切らない場合があり得るからである。
【００１９】
しかし、請求項４に記載した発明との関係（鎌片を捕捉しながら係合受板に係合すると言う発明の目的等）では、ケース本体２１の前壁２２に係合受板３０の極性に対応して反発し合う磁性体２３を設けることは、必ずしも発明の特定要件ではない。
【００２０】
また請求項４に記載した発明に於いて、可動捕捉部材１７のケース本体２１の傾斜状後壁２４に磁性体２５を固設し、これに鎌片１の先端部６が吸着するが、その逆であっても良い。すなわち、鎌片１の先端部６の傾斜状吸着面９に第２磁性体を固定し、一方、ケース本体２１を吸着する材料で形成しても良い。要は可動捕捉部材１７と鎌片１とが吸着関係にあれば良い。また支持バネ１５は板バネであっても良い。
【００２１】
【発明の効果】
以上の説明から明らかなように、本発明にあっては、次に列挙するような効果がある。
（１）ストライク本体１１内に装備された支持バネ１５と、この支持バネ１５に宙吊り状態に吊着され、かつ、鎌片１の先端部６に設けられた磁性体又は鎌片用可動捕捉部材１７に設けられた磁性体により磁力を介して吸着する該鎌片用可動捕捉部材１７と、閉戸時の鎌片完全掛合の状態に於いて、引戸２を開く方向へ引いた時、前記鎌片１の先端部６を捕捉した該可動捕捉部材１７を係止することができるようにストライクの受板１２の裏面に固定された係合受板３０を備えるので、閉戸時の鎌片完全掛合の状態に於いて、引戸の開き方向への「ガタ」を極力小さくすることができる。つまり、ガタ止め防止の効果を十分に発揮させることができる。
（２）合理的に各部材を組合わせ、かつ、部品点数を少なくして（１）の効果を達成することができる。
（３）請求項２に記載の発明は、鎌片の解錠状態に於いて、可動捕捉部材の爪状係合部が係合受板の被係合部から離れているので、可動捕捉部材と係合受板との係合具合の不都合により、施錠時に鎌片が完全に出切れないと言うような事態を防止することができる。
（４）請求項３や請求項４に記載の発明は、閉戸時の鎌片完全掛合の状態に於いて、引戸を開く方向への引いた場合に，可動捕捉部材の爪状係合部が係合受板の被係合部に確実に係合する。
【図面の簡単な説明】
図１乃至図６は本発明の一実施例を示す各説明図。
【図１】発明の実施の形態（可動捕捉部材が鎌片を捕捉した状態）を示す概略説明図。
【図２】鎌片の解錠状態に於いて、ストライク内の掛合機構の状態を示す概略説明図。
【図３】本発明の主要部材を斜視から示す説明図。
【図４】図３の４−４線断面図。
【図５】図３の５−５線断面図。
【図６】可動捕捉部材が鎌片を捕捉した状態で係合受板に係合した時の概略説明図。
【符号の説明】
Ｘ…鎌片用掛合機構、Ｙ…ストライク、１…鎌片、２…引戸、３…フロント、４…錠ケース、５…固定軸、６…先端部、７…首部、８…後端部、９…吸着面、１０…戸枠、１１…ストライク本体、１２…受板、１３…受孔、１５…支持バネ、１５ａ…一端部、１５ｂ…他端部、１６…バネ装着軸、１７…可動捕捉部材、１８…水平支持軸、２１…ケース本体、２２…前壁、２３…第１磁性体、２４…後壁、２５…第２磁性体、２６…対向側壁、２７…爪状係合部、３０…係合受板、３１…被係合部。
【図１】
0004070064.tif 000002
【図２】
0004070064.tif 000003
【図３】
0004070064.tif 000004
【図４】
0004070064.tif 000005
【図５】
0004070064.tif 000006
【図６】
0004070064.tif 000007